(57)【要約】【課題】入力側導電路と出力側導電路との間における電気的な干渉を抑制し得るノイズフィルタ装置を提供する。【解決手段】ノイズフィルタ装置１０は、可撓性を有する入力側導電路４１の一端に接続された入力側端子３１と、可撓性を有する出力側導電路４２の一端に接続された出力側端子３２とを収容するフィルタ側コネクタ３０を備えている。ノイズフィルタ装置１０は、入力側導電路４１の他端と、出力側導電路４２の他端とに接続されたノイズフィルタ５０、および入力側導電路４１および出力側導電路４２を保持する保持部材６０を備えている。保持部材６０は、ワイヤーハーネスＷＨに対しその外周を包囲するように取り付けられる本体部６１と、本体部６１の周方向の両端に形成され、入力側導電路４１と出力側導電路４２に引っ掛けられることで入力側導電路４１と出力側導電路４２が接近するのを規制する一対の引掛部６２と、を有している。【選択図】図１
2019201316.tif 000002
【特許請求の範囲】
【請求項１】
可撓性を有する入力側導電路の一端に接続された入力側端子と、可撓性を有する出力側導電路の一端に接続された出力側端子とを収容し、ワイヤーハーネスを構成するハーネス側導電路に接続されるコネクタと、
前記入力側導電路の他端と、前記出力側導電路の他端とに接続されたノイズフィルタと、
前記入力側導電路および前記出力側導電路を保持する保持部材と、
を備え、
前記保持部材は、
前記ワイヤーハーネスに対しその外周を包囲するように取り付けられる本体部と、
前記本体部の周方向の両端に形成され、前記入力側導電路と前記出力側導電路に引っ掛けられることで前記入力側導電路と前記出力側導電路が接近するのを規制する一対の引掛部と、
を有することを特徴とするノイズフィルタ装置。
【請求項２】
前記保持部材は、前記入力側導電路と前記出力側導電路を互いに離れる方向に付勢する弾性を有していることを特徴とする請求項１に記載のノイズフィルタ装置。
【請求項３】
前記本体部は、一本の長尺状の部材によって構成され、
一対の前記引掛部は、それぞれ前記入力側導電路および前記出力側導電路に巻き回されていることを特徴とする請求項１又は請求項２に記載のノイズフィルタ装置。
【請求項４】
前記本体部は、
前記ワイヤーハーネスの周方向に延びて並列するように配された一対の本体片と、
前記一対の本体片の一端同士および他端同士を連結する一対の連結部と、
を有し、
前記引掛部は、前記連結部から延出し、一対の前記本体片とともに前記入力側導電路又は前記出力側導電路を挟み込むことを特徴とする請求項１又は請求項２に記載のノイズフィルタ装置。
【発明の詳細な説明】
【技術分野】
【０００１】
本発明は、ノイズフィルタ装置に関するものである。
【背景技術】
【０００２】
特許文献１のノイズフィルタは、２本の導電路間に介在される構成である。このノイズフィルタは、筐体、接地導体、第１導体、及び第２導体を備えている。筐体は、接地導体、第１導体、及び第２導体を収容している。接地導体は、車体等のような導電性部材との電気的な接触部を有している。第１導体は、筐体の一方面における一方の挿通孔を介して導入される導電路（例えば、入力側の導電路）に接続されている。第２導体は、筐体の一方面における他方の挿通孔を介して導入される導電路（例えば、出力側の導電路）に接続されている。接地導体は、コンデンサを介して第１導体および第２導体に接続されている。
【先行技術文献】
【特許文献】
【０００３】
【特許文献１】特開２０１６−２０８４８７号公報
【発明の概要】
【発明が解決しようとする課題】
【０００４】
特許文献１のノイズフィルタは、筐体の一方面から導出された入力側の導電路と出力側の導電路が、いずれも、可撓性を有する電線からなるため、接近して配索される虞がある。入力側の導電路と出力側の導電路が接近し過ぎると、両導電路間で信号の漏れが生じて、クロストークなどの電気的な干渉が生じる虞がある。
【０００５】
本発明は上記のような事情に基づいて完成されたものであって、入力側導電路と出力側導電路との間における電気的な干渉を抑制し得るノイズフィルタ装置を提供することを解決すべき課題としている。
【課題を解決するための手段】
【０００６】
本発明のノイズフィルタ装置は、
可撓性を有する入力側導電路の一端に接続された入力側端子と、可撓性を有する出力側導電路の一端に接続された出力側端子とを収容し、ワイヤーハーネスを構成するハーネス側導電路に接続されるコネクタと、
前記入力側導電路の他端と、前記出力側導電路の他端とに接続されたノイズフィルタと、
前記入力側導電路および前記出力側導電路を保持する保持部材と、
を備え、
前記保持部材は、
前記ワイヤーハーネスに対しその外周を包囲するように取り付けられる本体部と、
前記本体部の周方向の両端に形成され、前記入力側導電路と前記出力側導電路に引っ掛けられることで前記入力側導電路と前記出力側導電路が接近するのを規制する一対の引掛部と、
を有することを特徴とする。
【発明の効果】
【０００７】
ノイズフィルタ装置は、入力側導電路および出力側導電路を保持する保持部材が、ワイヤーハーネスを包囲する本体部を有している。そのため、保持部材は、ワイヤーハーネスに安定して組み付けることができる。そして、保持部材は、本体部の両端に形成され、入力側導電路と出力側導電路とが接近しないようにそれぞれの導電路に引っ掛かる一対の引掛部を有している。これにより、ノイズフィルタ装置は、保持部材を設けない構成に比べて、入力側導電路と出力側導電路との間の距離を大きくすることができ、両導電路間におけるクロストークなどの電気的な干渉を抑制することができる。
【図面の簡単な説明】
【０００８】
【図１】実施例１のノイズフィルタ装置がワイヤーハーネスに組み付けられた状態を示す斜視図
【図２】図１の保持部材の平面図
【図３】実施例２の保持部材がワイヤーハーネス、入力側導電路、および出力側導電路に組み付けられた状態を示す斜視図
【図４】図３の保持部材の平面図
【発明を実施するための形態】
【０００９】
本発明は、前記保持部材が、前記入力側導電路と前記出力側導電路を互いに離れる方向に付勢する弾性を有していてもよい。
この構成によれば、入力側導電路および出力側導電路は、保持部材によって、それぞれ他方の導電路から離れる方向に弾性的に引っ張られる。そのため、両導電路は、他方の導電路から離れる方向に付勢された状態を維持することができ、他方の導電路からより離れ易くすることができる。
【００１０】
本発明は、前記本体部が、一本の長尺状の部材によって構成され、一対の前記引掛部は、それぞれ前記入力側導電路および前記出力側導電路に巻き回されていてもよい。
この構成によれば、保持部材は、本体部が一本の長尺状の部材によって構成されることで、簡易な形態とすることができる。その上で、一対の引掛部は、それぞれ入力側導電路および出力側導電路に巻き回されることで、それぞれの導電路に安定して引っ掛けることができる。
【００１１】
本発明は、前記本体部が、前記ワイヤーハーネスの周方向に延びて並列するように配された一対の本体片と、前記一対の本体片の一端同士および他端同士を連結する一対の連結部と、を有し、前記引掛部は、前記連結部から延出し、一対の前記本体片とともに前記入力側導電路又は前記出力側導電路を挟み込でいてもよい。
この構成によれば、保持部材は、引掛部が一対の本体片とともに入力側導電路又は出力側導電路を挟み込むことで、入力側導電路又は出力側導電路により一層強固に引っ掛けることができ、衝撃などによって入力側導電路又は出力側導電路から外れることを防ぐことができる。
【００１２】
＜実施例１＞
以下、本発明のノイズフィルタ装置を具体化した実施例１を、図１、図２を参照して説明する。
【００１３】
実施例１のノイズフィルタ装置１０は、図１に示すように、ワイヤーハーネスＷＨに組み付けられている。ノイズフィルタ装置１０は、ワイヤーハーネスＷＨに生じる電気的なノイズを除去するように機能する。ワイヤーハーネスＷＨは、絶縁部材によって被覆された複数の被覆電線（導電路）によって構成されている。ワイヤーハーネスＷＨは、複数の被覆電線が一体的に絶縁部材によって被覆されている。ワイヤーハーネスＷＨは、幹線２１、およびハーネス側導電路２２，２３を備えている。幹線２１は、複数本の導電路が束ねられて構成されている。ハーネス側導電路２２，２３は、幹線２１から分岐する一対の導電路である。ワイヤーハーネスＷＨは、ハーネス側コネクタ２０が設けられている。ハーネス側コネクタ２０は、ハーネス側導電路２２，２３のそれぞれが接続された一対の端子金具（図示略）を有している。ハーネス側コネクタ２０は、ハーネス側導電路２２，２３を導出させた状態で一対の端子金具を収容している。ハーネス側コネクタ２０は、ハーネス側導電路２２，２３を屈曲させた状態で、幹線２１に隣接して配置されている。
【００１４】
ノイズフィルタ装置１０は、図１に示すように、フィルタ側コネクタ３０（本発明の「コネクタ」に相当）、入力側導電路４１、出力側導電路４２、ノイズフィルタ５０、及び一対の保持部材６０を備えている。なお、図１では、ノイズフィルタ装置１０が一対の保持部材６０を備える構成を例示しているが、１つや３つ以上のその他の数の保持部材６０を備えていてもよい。
【００１５】
フィルタ側コネクタ３０は、図１に示すように、入力側端子３１、出力側端子３２、およびケース３３を備えている。入力側端子３１は、入力側導電路４１の一端に接続されている。出力側端子３２は、出力側導電路４２の一端に接続されている。入力側導電路４１、および出力側導電路４２は、被覆電線であり、可撓性を有している。ケース３３は、例えば合成樹脂製であり、箱状をなしている。ケース３３には、入力側導電路４１、および出力側導電路４２が挿通する挿通孔（図示略）が形成されている。ケース３３は、入力側導電路４１の他端側を導出させた状態で、入力側端子３１を内部に収容している。ケース３３は、出力側導電路４２の他端側を導出させた状態で、出力側端子３２を内部に収容している。
【００１６】
フィルタ側コネクタ３０は、図１に示すように、ハーネス側コネクタ２０に接続されている。入力側端子３１、および出力側端子３２は、ハーネス側コネクタ２０の一対の端子金具（図示略）にそれぞれ接続されている。これにより、入力側導電路４１、および出力側導電路４２は、ハーネス側導電路２２，２３にそれぞれ電気的に接続されている。入力側導電路４１、および出力側導電路４２は、幹線２１に対して平行となるように、所定間隔空けて隣接されている。
【００１７】
ノイズフィルタ５０は、図１に示すように、入力側導電路４１の他端、および出力側導電路４２の他端に接続されている。ノイズフィルタ５０は、ケース５１、およびコンデンサ５２を備えている。ケース５１は、コンデンサ５２を収容している。ケース５１は、例えば合成樹脂製である。コンデンサ５２は、例えばフィルムコンデンサである。コンデンサ５２の一方の電極は、入力側導電路４１の他端に電気的に接続されている。コンデンサ５２の他方の電極は、出力側導電路４２の他端に電気的に接続されている。
【００１８】
保持部材６０は、図１に示すように、入力側導電路４１、および出力側導電路４２を保持している。保持部材６０は、図１、図２に示すように、弾性変形可能な材料（例えばゴム、樹脂など）によって略円弧状に形成されている。保持部材６０は、本体部６１、および一対の引掛部６２を備えている。本体部６１は、一本の長尺状の部材によって円弧状（略Ｃ状字形）に構成されている。そのため、保持部材６０は、簡易な形態となる。本体部６１は、ワイヤーハーネスＷＨに対し、その外周を包囲するように取り付けられている。すなわち、本体部６１は、ワイヤーハーネスＷＨに対し、その外周に沿って巻き付けられている。そのため、保持部材６０は、ワイヤーハーネスＷＨに安定して組み付けられている。
【００１９】
一対の引掛部６２は、図１、図２に示すように、本体部６１の周方向の両端にそれぞれ形成されている。引掛部６２は、本体部６１の円弧の径よりも小さな径の円弧状（略Ｃ状字形）である。引掛部６２は、本体部６１の周方向の内側に巻かれるように形成されている。本体部６１の外周と引掛部６２の外周は、滑らかに連結している。一対の引掛部６２は、それぞれ入力側導電路４１、および出力側導電路４２に対してワイヤーハーネスＷＨの径方向外側から巻き回されている。そのため、一対の引掛部６２は、それぞれ入力側導電路４１および出力側導電路４２に安定して引っ掛けることができる。
【００２０】
保持部材６０の自由状態（弾性変形していない状態）における曲率は、ワイヤーハーネスＷＨの外周の曲率より小さい。したがって、保持部材６０は、ワイヤーハーネスＷＨの外周に取り付けた状態では、入力側導電路４１と出力側導電路４２を互いに離れる方向（図１の矢印の方向）に付勢する弾性を発揮する。そのため、保持部材６０は、入力側導電路４１と出力側導電路４２が互いに離れる方向（図１の矢印の方向）に付勢された状態を安定して維持することができる。一対の引掛部６２は、図１に示すように、入力側導電路４１と出力側導電路４２にそれぞれ引っ掛けられることで、入力側導電路４１と出力側導電路４２が接近するのを規制している。
【００２１】
フィルタ側コネクタ３０の一方面から導出された入力側導電路４１、および出力側導電路４２は、いずれも可撓性を有するため、接近して配索される虞がある。入力側導電路４１、および出力側導電路４２が接近し過ぎると、両導電路４１，４２間で信号の漏れが生じて、クロストークなどの電気的な干渉が生じる虞がある。しかしながら、実施例１のノイズフィルタ装置１０は、上述したように、保持部材６０を入力側導電路４１と出力側導電路４２にそれぞれ引っ掛けられることで、入力側導電路４１と出力側導電路４２が接近するのを規制している。そのため、ノイズフィルタ装置１０は、保持部材６０を設けない構成に比べて、入力側導電路４１と出力側導電路４２との間の距離を大きくすることができ、両導電路４１，４２間におけるクロストークなどの電気的な干渉を抑制することができる。
【００２２】
ノイズフィルタ装置１０は、ワイヤーハーネスＷＨに組み付けられた状態で、例えば、粘着テープが巻き回される。具体的には、入力側導電路４１、出力側導電路４２、およびワイヤーハーネスＷＨが、粘着テープで巻き回される。このとき、入力側導電路４１、および出力側導電路４２は、保持部材６０によってワイヤーハーネスＷＨに対して安定して保持されている。そのため、入力側導電路４１、および出力側導電路４２は、粘着テープで巻き回される際に、位置ずれし難くなる。
【００２３】
上述したように、ワイヤーハーネスＷＨは、絶縁部材によって被覆された被覆電線（導電路）が複数束ねられて形成されている。そのため、ノイズフィルタ装置１０は、各被覆電線の表皮効果によって交流抵抗を低減させて、ノイズ除去機能を向上させることができる。したがって、ノイズフィルタ装置１０は、ノイズ除去機能を向上させるためにコンデンサ５２を大型化する必要がなくなる。
【００２４】
以上のように、本実施例１のノイズフィルタ装置１０は、入力側導電路４１および出力側導電路４２を保持する保持部材６０が、ワイヤーハーネスＷＨを包囲する本体部６１を有している。そのため、保持部材６０は、ワイヤーハーネスＷＨに安定して組み付けることができる。そして、保持部材６０は、本体部６１の両端に形成され、入力側導電路４１と出力側導電路４２とが接近しないようにそれぞれの導電路に引っ掛かる一対の引掛部６２を有している。これにより、ノイズフィルタ５０装置は、保持部材６０を設けない構成に比べて、入力側導電路４１と出力側導電路４２との間の距離を大きくすることができ、両導電路４１，４２間におけるクロストークなどの電気的な干渉を抑制することができる。
【００２５】
また、保持部材６０は、入力側導電路４１と出力側導電路４２を互いに離れる方向に付勢する弾性を有している。
この構成によれば、入力側導電路４１および出力側導電路４２は、保持部材６０によって、それぞれ他方の導電路から離れる方向に弾性的に引っ張られる。そのため、両導電路４１，４２は、他方の導電路から離れる方向に付勢された状態を維持することができ、他方の導電路からより離れ易くすることができる。
【００２６】
また、本体部６１は、一本の長尺状の部材によって構成され、一対の引掛部６２は、それぞれ入力側導電路４１および出力側導電路４２に巻き回されている。
この構成によれば、保持部材６０は、本体部６１が一本の長尺状の部材によって構成されることで、簡易な形態とすることができる。その上で、一対の引掛部６２は、それぞれ入力側導電路４１および出力側導電路４２に巻き回されることで、それぞれの導電路に安定して引っ掛けることができる。
【００２７】
＜実施例２＞
次に、本発明を具体化した実施例２を、図３、図４を参照して説明する。本実施例２のノイズフィルタ装置１０は、保持部材２６０の構成を上記実施例１とは異なる構成としたものである。その他の構成については上記実施例１と同じであるため、同じ構成については、同一符号を付し、構造、作用及び効果の説明は省略する。なお、図３では、ノイズフィルタ装置１０が１つの保持部材２６０を備える構成を例示しているが、その他の数の保持部材２６０を備えていてもよい。
【００２８】
保持部材２６０は、図３に示すように、入力側導電路４１、および出力側導電路４２を保持している。保持部材２６０は、図３、図４に示すように、弾性変形可能な材料（例えばゴム、樹脂など）によって長尺のリング状に形成されている。保持部材２６０は、本体部２６１、および一対の引掛部２６２を備えている。本体部２６１は、一対の本体片２６１Ａ、および一対の連結部２６１Ｂを備えている。本体片２６１Ａは、長尺の帯板状である。本体片２６１Ａは、ワイヤーハーネスＷＨに対し、その外周を包囲するように取り付けられている。すなわち、一対の本体片２６１Ａは、ワイヤーハーネスＷＨの周方向に延びて並列するように配されている。そのため、保持部材２６０は、ワイヤーハーネスＷＨに安定して組み付けられている。
【００２９】
一対の連結部２６１Ｂは、図３、図４に示すように、一対の本体片２６１Ａの一端同士および他端同士をそれぞれ連結している。図４に示すように、連結部２６１Ｂの中央部分は、本体片２６１Ａが真直ぐに伸びた状態で他方の連結部２６１Ｂ側に凸となるように湾曲している。連結部２６１Ｂの両端部分は、本体片２６１Ａが真直ぐに伸びた状態で他方の連結部２６１Ｂ側とは反対側に凸となるように湾曲している。
【００３０】
引掛部２６２は、図４に示すように、連結部２６１Ｂの中央部分から、他方の連結部２６１Ｂに向かって延出し、一対の本体片２６１Ａの間に挟まれるように配されている。引掛部２６２は、先端部の幅が基端部の幅よりも大きくなっている。一方の引掛部２６２は、一対の本体片２６１Ａとともに入力側導電路４１をワイヤーハーネスＷＨの径方向に挟み込んでいる。具体的には、一方の引掛部２６２は、ワイヤーハーネスＷＨの周方向において出力側導電路４２側から入力側導電路４１に取り付けられ、径方向外側から入力側導電路４１に接触している。一対の本体片２６１Ａは、内側（出力側導電路４２側）から入力側導電路４１に接触している。他方の引掛部２６２は、一対の本体片２６１Ａとともに出力側導電路４２をワイヤーハーネスＷＨの径方向に挟み込んでいる。具体的には、他方の引掛部２６２は、ワイヤーハーネスＷＨの周方向において入力側導電路４１側から出力側導電路４２に取り付けられ、径方向外側から出力側導電路４２に接触している。一対の本体片２６１Ａは、内側（入力側導電路４１側）から出力側導電路４２に接触している。
【００３１】
保持部材２６０は、入力側導電路４１と出力側導電路４２を互いに離れる方向（図３の矢印の方向）に付勢する弾性を発揮する。そのため、保持部材２６０は、入力側導電路４１と出力側導電路４２が互いに離れる方向（図３の矢印の方向）に付勢された状態を安定して維持することができる。一対の引掛部２６２は、図３に示すように、入力側導電路４１と出力側導電路４２にそれぞれ引っ掛けられることで、入力側導電路４１と出力側導電路４２が接近するのを規制している。特に、保持部材２６０は、引掛部２６２が一対の本体片２６１Ａとともに入力側導電路４１、および出力側導電路４２を挟み込む構成である。そのため、保持部材２６０は、１つの本体片２６１Ａがこれら導電路に接触する構成に比べて、これら導電路により一層強固に引っ掛けることができ、衝撃などによってこれら導電路から外れることを防ぐことができる。
【００３２】
実施例２のノイズフィルタ装置１０は、上述したように、保持部材２６０を入力側導電路４１と出力側導電路４２にそれぞれ引っ掛けられることで、入力側導電路４１と出力側導電路４２が接近するのを規制している。そのため、ノイズフィルタ装置１０は、保持部材２６０を設けない構成に比べて、入力側導電路４１と出力側導電路４２との間の距離を大きくすることができ、両導電路４１，４２間におけるクロストークなどの電気的な干渉を抑制することができる。
【００３３】
以上のように、本実施例２のノイズフィルタ装置１０は、本体部６１が、本体片２６１Ａ、および一対の連結部２６１Ｂを有している。本体片２６１Ａは、ワイヤーハーネスＷＨの周方向に延びて並列するように配されている。一対の連結部２６１Ｂは、一対の本体片２６１Ａの一端同士および他端同士を連結している。引掛部６２は、連結部２６１Ｂから延出し、一対の本体片２６１Ａとともに入力側導電路４１又は出力側導電路４２を挟み込む。
この構成によれば、保持部材６０は、引掛部６２が一対の本体片２６１Ａとともに入力側導電路４１又は出力側導電路４２を挟み込むことで、入力側導電路４１又は出力側導電路４２により一層強固に引っ掛けることができ、衝撃などによって入力側導電路４１又は出力側導電路４２から外れることを防ぐことができる。
【００３４】
＜他の実施例＞
本発明は上記記述及び図面によって説明した実施例に限定されるものではなく、例えば次のような実施例も本発明の技術的範囲に含まれる。
（１）上記実施例１では、保持部材６０の引掛部６２の外周は、本体部６１の外周と滑らかに連結していた。しかしながら、引掛部６２の外周は、本体部６１の内周と滑らかに連結していてもよい。すなわち、引掛部６２は、両導電路４１，４２に対してワイヤーハーネスＷＨの径方向内側から巻かれる構成であってもよい。
（２）上記実施例２では、保持部材２６０の引掛部２６２は、先端部の幅が基端部の幅よりも大きくなっていたが、その他の形態であってもよい。例えば、引掛部２６２は、長尺の帯板状であり、先端部の厚みが基端部の厚みよりも大きくなっていてもよい。これにより、引掛部２６２は、先端部が入力側導電路４１、および出力側導電路４２に引っ掛かり易くなる。
（３）上記実施例１，２では、ノイズフィルタ５０は、コンデンサ５２を備える構成であったが、その他の構成であってもよい。例えば、ノイズフィルタ５０は、２つのコンデンサ、および１つのコイルによって構成されるπ型フィルタであってもよい。また、ノイズフィルタ５０は、１つのコンデンサ、および１つのコイルによって構成されるＬ型フィルタであってもよい。また、ノイズフィルタ５０は、１つのコンデンサ、および２つのコイルによって構成されるＴ型フィルタであってもよい。
（４）上記実施例１，２では、コンデンサ５２にフィルムコンデンサを用いたが、電解コンデンサやセラミックコンデンサであっても良い。
【符号の説明】
【００３５】
１０…ノイズフィルタ装置
２２，２３…ハーネス側導電路
３０…フィルタ側コネクタ（コネクタ）
３１…入力側端子
３２…出力側端子
４１…入力側導電路
４２…出力側導電路
５０…ノイズフィルタ
６０，２６０…保持部材
６１，２６１…本体部
６２，２６２…引掛部
２６１Ａ…本体片
２６１Ｂ…連結部
ＷＨ…ワイヤーハーネス
【図１】
2019201316.tif 000003
【図２】
2019201316.tif 000004
【図３】
2019201316.tif 000005
【図４】
2019201316.tif 000006